【手続補正書】
【提出日】平成28年3月11日(2016.3.11)
【手続補正１】
【補正対象書類名】特許請求の範囲
【補正対象項目名】全文
【補正方法】変更
【補正の内容】
【特許請求の範囲】
【請求項１】
後続歯科装置を作製する際に使用可能な方法であって、
物理的な歯又は口腔に現歯科装置が取り付けられている患者の物理的な歯の組の表現を含む現デジタル歯科モデルを受け取るステップであって、前記現デジタル歯科モデルが、前記現歯科装置の全て又は一部を取り除く前の前記物理的な歯の組及び前記現歯科装置の直接デジタルスキャンである、ステップと、
前記現デジタル歯科モデルに基づいて、前記現歯科装置のない前記物理的な歯の組の前記表現を含む新たなデジタル歯科モデルを生成するステップと、
前記新たなデジタル歯科モデルに含まれる電子データに基づいて、前記後続歯科装置を製造するのに使用されるデジタルデータを提供するステップと、を含み、
前記受け取るステップ及び前記生成するステップが１つまたはそれ以上のコンピュータプロセッサにより実行される、方法。
【請求項２】
前記現デジタル歯科モデルを受け取る前記ステップが、
前記歯が所望の歯の配列にあるか又はそれに近いときに取得される前記現デジタル歯科モデルを受け取ること
を更に含む、請求項１に記載の方法。
【請求項３】
患者の物理的な歯の組から現歯科装置を取り除く前に後続歯科装置を作製する際に使用可能な方法であって、
物理的な歯又は口腔に現歯科装置が取り付けられている前記患者の前記物理的な歯の組の表現を含む現デジタル歯科モデルを受け取るステップであって、前記現デジタル歯科モデルが、前記物理的な歯の組及び前記現歯科装置の直接デジタルスキャンであり、前記物理的な歯が、前記現歯科装置の全て又は一部が前記物理的な歯の組のうちの１つ又は複数から取り除かれることが望まれ、且つ後続装置を使用することが望まれるときに、治療位置にある、ステップと、
前記現デジタル歯科モデルに基づいて、前記現歯科装置を含まない前記物理的な歯の組の前記表現を含む新たなデジタル歯科モデルを生成するステップと、
前記物理的な歯の組から前記現歯科装置の全て又は一部を取り除く前に、前記新たなデジタル歯科モデルに含まれる電子データに基づいて、前記後続歯科装置を製造する為に使用されるデジタルデータを提供するステップと
を含み、
前記受け取るステップ及び前記生成するステップが、１つ又は複数のコンピュータプロセッサによって実行される、方法。
【請求項４】
前記現デジタル歯科モデルを受け取る前記ステップが、
前記現歯科装置が、所望の歯の配列にあるか又はそれに近い前記物理的な歯に取り付けられている前記患者の前記物理的な歯の組の表現を含む前記現デジタル歯科モデルを受け取ること
を更に含む、請求項１又は３に記載の方法。
【請求項５】
前記後続歯科装置の製造が、
前記物理的な歯の組から前記現歯科装置を取り除く前に、前記新たなデジタル歯科モデルにおける前記電子データに基づいてリテーナ装置を製造すること
を更に含む、請求項１から４のいずれか一項に記載の方法。
【請求項６】
前記現デジタル歯科モデルを受け取る前記ステップが、
前記患者の前記物理的な歯の組の表現を含む前記現デジタル歯科モデルを受け取ることを更に含み、前記現歯科装置が、一組のブレース、取外し可能なプラスチックポジショニング歯科装置と共に使用されるアタッチメント、及び前記患者の歯肉の下の骨に取り付けられる歯科装置、睡眠時無呼吸装置、スプリント、ブリッジ、インプラント、歯列矯正バンド、固定リンガルリテーナ及び一組のリンガルブレースからなる群から選択され、前記骨に取り付ける歯科装置が、一時的固定装置、ミニスクリュー、ミニプレート、ボールタイプ、ブラケットタイプ及びフックタイプからなる群から選択される、請求項１から５のいずれか一項に記載の方法。
【請求項７】
前記現デジタル歯科モデルを受け取る前記ステップが、
前記患者の前記物理的な歯の組の表現を含む前記現デジタル歯科モデルを受け取ることを更に含み、前記現歯科装置が、前記物理的な歯のうちの１つ又は複数に取り付けられる歯科装置である、請求項１から６のいずれか一項に記載の方法。
【請求項８】
前記物理的な歯が、所望の歯の配列に近いが前記所望の歯の配列にはなく、前記方法が、
前記新たなデジタル歯科モデルにおける前記歯のうちの１つ又は複数の位置を前記所望の歯の配列に調整するステップ
を更に含む、請求項１から７のいずれか一項に記載の方法。
【請求項９】
前記現歯科装置が、前記物理的な歯のうちの２つの間に歯間距離をもたらす歯列矯正バンドを含み、前記方法が、
前記歯間距離によって分離される前記新たなデジタル歯科モデルにおける前記２つの物理的な歯のうちの少なくとも一方の位置を、前記所望の歯の配列に調整するステップ
を更に含む、請求項８に記載の方法。
【請求項１０】
前記新たなデジタル歯科モデルを生成する前記ステップが、
前記現デジタル歯科モデルに関連する対応するデジタル歯の上に前記患者のセグメント化されたデジタル歯の各々を重ね合わせることであって、前記セグメント化されたデジタル歯が、前記物理的な歯の組にいかなる歯科装置も適用されずに前記物理的な歯の組から導出される、重ね合わせることと、
前記重ね合せに基づいて、前記現デジタル歯科モデルの重ね合わされていない部分を確定することと、
前記現デジタル歯科モデルの前記重ね合わされていない部分を除去することにより、前記新たなデジタル歯科モデルを生成することと、
を更に含む、請求項１から９のいずれか一項に記載の方法。
【請求項１１】
前記表現が第１表現であり、前記新たなデジタル歯科モデルを生成する前記ステップが、
前記第１表現に関連する前記現歯科装置の上に前記現歯科装置の全て又は一部の第２表現を重ね合わせることと、
前記重ね合せに基づいて前記第１表現の重ね合わされた部分を確定することと、
前記第１表現の前記重ね合わされた部分を除去することにより、前記新たなデジタル歯科モデルを生成することと、
を更に含む、請求項１から１０のいずれか一項に記載の方法。
【請求項１２】
前記現歯科装置の全て又は一部の前記第２表現を重ね合わせることが、
ブラケット、ワイヤ、ボタン、クリート、チューブ、フック、バンド、リガチャ、アライナアタッチメント及びＯリングからなる群から選択された部分の前記第２表現を重ね合わせること
を更に含む、請求項１１に記載の方法。
【請求項１３】
前記患者の前記物理的な歯のうちの１つ又は複数に適用されていないときの前記現歯科装置の画像を受け取るステップと、
前記画像を前記第２表現として使用するステップと、
を更に含む、請求項１１又は１２に記載の方法。
【請求項１４】
前記現歯科装置と同じか又は同様のタイプの歯科装置である歯科装置の画像を受け取るステップと、
前記画像を前記第２表現として使用するステップと、
を更に含む、請求項１１から１３のいずれか一項に記載の方法。
【請求項１５】
歯科装置のライブラリから前記画像を受け取るステップ
を更に含む、請求項１４に記載の方法。
【請求項１６】
前記新たなデジタル歯科モデルを生成する前記ステップが、
前記現歯科装置に関連するブラケットベースの下面の輪郭に基づいて前記現歯科モデルに関連するデジタル歯の部分の輪郭を推定することと、
前記表現から前記現歯科装置を除去することと、
を更に含む、請求項１から１５のいずれか一項に記載の方法。
【請求項１７】
前記新たなデジタル歯科モデルを生成する前記ステップが、
前記現デジタル歯科モデルから前記現歯科装置をデジタル的に除去することと、
前記現歯科装置の仮想部分の真下の第１デジタル歯の領域を確定することであって、前記第１デジタル歯が前記現デジタル歯科モデルに関連し、前記仮想部分が前記現歯科装置に関連する、確定することと、
前記第１デジタル歯と同様の第２デジタル歯の領域を受け取ることと、
前記第２デジタル歯の領域に基づいて前記第１デジタル歯の領域の輪郭を再構築することと、
を更に含む、請求項１から１６のいずれか一項に記載の方法。
【請求項１８】
前記現歯科装置の仮想部分の真下の前記第１デジタル歯の前記領域を確定することが、
ブラケット、ワイヤ、ボタン、クリート、チューブ、フック、バンド、リガチャワイヤ、アタッチメント及びＯリングからなる群から選択された仮想部分の真下の前記第１デジタル歯の前記領域を確定すること
を更に含む、請求項１７に記載の方法。
【請求項１９】
前記新たなデジタル歯科モデルを生成する前記ステップが、
以下の動作、即ち、
前記現デジタル歯科モデルに関連する第１デジタル歯の上に前記患者のセグメント化されたデジタル歯を重ね合わせることと、
前記現デジタル歯科モデルに関連する前記現歯科装置の上に前記現歯科装置の全て又は一部の第２表現を重ね合わせることと、
前記現歯科装置に関連するブラケットベースの下面の輪郭に基づいて、前記現デジタル歯科モデルに関連する第２デジタル歯の一部の輪郭を推定することと、
前記現デジタル歯科モデルの第３デジタル歯の上に同様のデジタル歯を重ね合わせることと、
のうちの１つ又は複数を用いて前記新たなデジタル歯科モデルを生成することを更に含む、請求項１から１８のいずれか一項に記載の方法。
【請求項２０】
前記第１デジタル歯、前記第２デジタル歯及び前記第３デジタル歯が、患者の物理的な歯のうちの異なる歯に対応する、請求項１９に記載の方法。
【請求項２１】
前記新たなデジタル歯科モデルを生成する前記ステップが、
前記現デジタル歯科モデルの第１デジタル歯の上に第２デジタル歯を重ね合わせることであって、前記第１デジタル歯及び前記第２デジタル歯が同様である、重ね合わせることと、
前記表現の重ね合わされていない部分を除去することにより、前記新たなデジタル歯科モデルを生成することと、
を更に含む、請求項１から２０のいずれか一項に記載の方法。
【請求項２２】
前記第１デジタル歯の上に前記第２デジタル歯を重ね合わせることが、
前記現デジタル歯科モデルの前記第１デジタル歯の上に前記第２デジタル歯を重ね合わせることであって、前記第２デジタル歯が、前記患者の前記物理的な歯から導出されていない複数のデジタル歯の平均である、重ね合わせること
を更に含む、請求項２１に記載の方法。
【請求項２３】
前記第１デジタル歯の上に前記第２デジタル歯を重ね合わせることが、
前記現デジタル歯科モデルの第１デジタル歯の上に第２デジタル歯を重ね合わせることであって、前記第１デジタル歯及び前記第２デジタル歯の両方が前記患者の異なる物理的な歯を表す、重ね合わせること
を更に含む、請求項２１に記載の方法。
【請求項２４】
前記第１デジタル歯の上に前記第２デジタル歯を重ね合わせることが、
前記現デジタル歯科モデルの前記第１デジタル歯の上に前記第２デジタル歯を重ね合わせることであって、前記第２デジタル歯が前記患者ではない人の物理的な歯を表す、重ね合わせること
を更に含む、請求項２１に記載の方法。
【請求項２５】
前記第１デジタル歯のサイズに基づいて前記第２デジタル歯のサイズをスケーリングするステップ
を更に含む、請求項２１から２４のいずれか一項に記載の方法。
【請求項２６】
前記物理的な歯の組から前記現歯科装置の全て又は一部を取り除く前に、前記提供されたデジタルデータに基づいて前記後続歯科装置を製造するステップ
を更に含む、請求項１から２５のいずれか一項に記載の方法。
【請求項２７】
患者の一組の物理的な歯から現歯科装置を取り除く前に後続デジタル歯科モデルを作製する際に使用可能な方法であって、
物理的な歯又は口腔に現歯科装置が取り付けられている前記患者の前記物理的な歯の組の表現を含む現デジタル歯科モデルを受け取るステップであって、前記現デジタル歯科モデルが、前記物理的な歯の組及び前記現歯科装置の直接デジタルスキャンであり、前記物理的な歯が、前記現歯科装置の全て又は一部が前記物理的な歯の組のうちの１つ又は複数から取り除かれることが望まれ、且つ後続装置を使用することが望まれるときに、治療位置にある、ステップと、
前記現デジタル歯科モデルに基づいて、前記現歯科装置を含まない前記物理的な歯の組の前記表現を含む新たなデジタル歯科モデルを生成するステップと、
を含む方法。
【請求項２８】
患者の一組の物理的な歯から現歯科装置を取り除く前に後続歯科装置を作製する際に使用可能な方法をコンピュータに実行させるプログラムであって、
前記コンピュータに、
物理的な歯又は口腔に現歯科装置が取り付けられている前記患者の前記物理的な歯の組の表現を含む現デジタル歯科モデルを受け取るステップであって、前記現デジタル歯科モデルが、前記物理的な歯の組及び前記現歯科装置の直接デジタルスキャンであり、前記物理的な歯が、前記現歯科装置の全て又は一部が前記物理的な歯の組のうちの１つ又は複数から取り除かれることが望まれ、且つ後続装置を使用することが望まれるときに、治療位置にある、ステップと、
前記現デジタル歯科モデルに基づいて、前記現歯科装置を含まない前記物理的な歯の組の前記表現を含む新たなデジタル歯科モデルを生成するステップと、
を実行させるためのプログラムであり、
前記新たなデジタル歯科モデルが、前記物理的な歯の組から前記現歯科装置の全て又は一部を取り除く前に前記後続歯科装置を製造するための電子データを含む、
プログラム。
【請求項２９】
前記新たなデジタル歯科モデルを生成する前記ステップが、
前記現デジタル歯科モデルに関連する対応する個々のデジタル歯の上に前記患者のセグメント化されたデジタル歯の各々を重ね合わせること
を更に含む、請求項２８に記載のプログラム。
【請求項３０】
前記現歯科装置の前記表現が前記現歯科装置の第１表現であり、前記新たなデジタル歯科モデルを生成する前記ステップが、
前記第１表現に含まれる前記現歯科装置の上に前記現歯科装置の全て又は一部の第２表現を重ね合わせること
を更に含む、請求項２８又は２９に記載のプログラム。
【請求項３１】
前記新たなデジタル歯科モデルを生成する前記ステップが、
前記現歯科装置に関連するブラケットベースの下面の輪郭に基づいて、前記現デジタル歯科モデルに関連するデジタル歯の一部の輪郭を推定すること
を更に含む、請求項２８から３０のいずれか一項に記載のプログラム。
【請求項３２】
前記新たなデジタル歯科モデルを生成する前記ステップが、
第２デジタル歯の領域に基づいて第１デジタル歯の領域の輪郭と確定すること
を更に含み、
前記第１デジタル歯の領域が、前記現歯科装置に関連する仮想ブラケットブレースの真下にあり、前記第１デジタル歯が、前記現デジタル歯科モデルに関連する、請求項２８から３１のいずれか一項に記載のプログラム。
【請求項３３】
前記新たなデジタル歯科モデルを生成する前記ステップが、
前記現デジタル歯科モデルの第１デジタル歯の上に第２デジタル歯を重ね合わせることであって、前記第１デジタル歯が前記第２デジタル歯と同様である、重ね合わせることと、
前記現デジタル歯科モデルの重ね合わされていない部分を除去することと、
を更に含む、請求項２８から３２のいずれか一項に記載のプログラム。
【請求項３４】
前記物理的な歯が、所望の歯の配列に近いが前記所望の歯の配列にはなく、前記プログラムが、
前記所望の歯の配列に調整された前記物理的な歯の組の前記表現を含む新たなデジタル歯科モデルを生成するステップ
を更に含む、請求項２８から３３のいずれか一項に記載のプログラム。
【請求項３５】
前記現歯科装置が、少なくとも部分的に、前記物理的な歯のうちの２つの間の歯間空間をもたらす歯列矯正バンドを含み、前記プログラムが、
少なくとも部分的に前記歯列矯正バンドによってもたらされる前記歯間空間によって分離された前記新たなデジタル歯科モデルにおける前記２つの物理的な歯のうちの少なくとも一方の位置を、所望の歯の配列に調整することにより、前記物理的な歯の組の前記表現を含む新たなデジタル歯科モデルを生成するステップ
を更に含む、請求項２８から３４のいずれか一項に記載のプログラム。
【請求項３６】
患者の一組の物理的な歯から現歯科装置を取り除く前に後続歯科装置を作製する際に使用可能なシステムであって、
物理的な歯又は口腔に現歯科装置が取り付けられている前記患者の前記物理的な歯の組の表現を含む現デジタル歯科モデルを受け取る現デジタル歯科モデル受取構成要素であって、前記現デジタル歯科モデルが、前記物理的な歯の組及び前記現歯科装置の直接デジタルスキャンであり、前記物理的な歯が、前記現歯科装置の全て又は一部が前記物理的な歯の組のうちの１つ又は複数から取り除かれることが望まれ、且つ後続装置を使用することが望まれるときに、治療位置にある、現デジタル歯科モデル受取構成要素と、
前記現歯科装置を含まない前記物理的な歯の組の前記表現を含む新たなデジタル歯科モデルのコンピュータにより自動化された生成するための新たなデジタル歯科モデル生成構成要素と、
を具備し、
前記新たなデジタル歯科モデルが、前記物理的な歯の組から前記現歯科装置の全て又は一部を取り除く前に、前記後続歯科装置を製造するための電子データを含む、システム。
【請求項３７】
前記新たなデジタル歯科モデル生成構成要素が、
前記現デジタル歯科モデルに関連する対応する個々のデジタル歯の上に、前記患者のセグメント化されたデジタル歯を重ね合わせ、前記セグメント化されたデジタル歯が、前記現歯科装置が取り付けられていない前記患者の前記物理的な歯の組から取得されたデジタル歯科モデルから得られる、請求項３６に記載のシステム。
【請求項３８】
前記表現が第１表現であり、
前記新たなデジタル歯科モデル生成構成要素が、
前記現歯科装置の上に前記現歯科装置の全て又は一部の第２表現を重ね合わせ、前記現歯科装置の前記第２表現が、歯科装置のライブラリと、前記物理的な歯の組に適用されていないときの前記現歯科装置の画像とからなる群から選択された供給源から得られる、請求項３６又は３７に記載のシステム。
【請求項３９】
前記新たなデジタル歯科モデル生成構成要素が、
前記現デジタル歯科モデルに含まれるデジタル歯のサブセットの輪郭を推定し、前記推定がブラケットベースの下面の輪郭に基づいている、請求項３６から３８のいずれか一項に記載のシステム。
【請求項４０】
前記新たなデジタル歯科モデル生成構成要素が、
複数の物理的な歯の平均に基づいて同様のデジタル歯を生成し、
前記同様のデジタル歯の対応する部分に基づいて、前記現デジタル歯科モデルの前記デジタル歯の一部の輪郭を確定する、請求項３６から３９のいずれか一項に記載のシステム。
【請求項４１】
前記新たなデジタル歯科モデルが中間デジタル歯科モデルであり、前記新たなデジタル歯科モデル生成構成要素が、
一連の中間デジタル歯科モデルのうちの１つを生成する、請求項３６から４０のいずれか一項に記載のシステム。
【請求項４２】
前記一連の中間デジタル歯科モデルが、前記患者の歯肉輪郭の一連の変化を近似する、請求項４１に記載のシステム。
【請求項４３】
第１歯肉モデル化技法が前記患者の歯肉の第１部分に対して用いられ、第２歯肉モデル化技法が、前記患者の歯肉の第２部分に対して用いられる、請求項４２に記載のシステム。
【請求項４４】
前記患者の前記歯肉輪郭の前記変化が、シミュレーションに基づいて確定される、請求項４２又は４３に記載のシステム。
【請求項４５】
前記患者の歯肉輪郭の前記変化が、シミュレーションを必要とすることなく前記患者の元の歯肉輪郭に基づいて確定される、請求項４２又は４３に記載のシステム。
【請求項４６】
前記患者の前記歯肉輪郭の前記変化が、前記歯肉輪郭が膨張するか又は縮小することによる、請求項４２又は４３に記載のシステム。
【請求項４７】
前記現デジタル歯科モデルが、口腔内スキャンを用いて得られる、請求項３６から４６のいずれか一項に記載のシステム。
【請求項４８】
前記後続歯科装置が、取外し可能なプラスチックポジショニング歯科装置である、請求項３６から４７のいずれか一項に記載のシステム。
【請求項４９】
前記治療位置が、最終的な歯の配列ではなく、前記取外し可能プラスチックポジショニング歯科装置が、前記最終的な歯の配列を達成する為に用いられる一連の取外し可能なプラスチックポジショニング歯科装置のうちの１つである、請求項３６から４８のいずれか一項に記載のシステム。
【請求項５０】
前記新たなデジタル歯科モデル生成構成要素が、前記現歯科装置又は前記現歯科装置の一部の少なくとも１つのユーザ選択ボクセルを受け取り、前記現歯科装置の境界又は前記現歯科装置によって覆われる前記歯の部分を特定する、請求項３６から４９のいずれか一項に記載のシステム。
【請求項５１】
前記新たなデジタル歯科モデル生成構成要素が、歯の表面の少なくとも１つのユーザ選択ボクセルを受け取り、前記現歯科装置の境界又は前記現歯科装置によって覆われていない前記歯の部分を特定する、請求項３６から５０のいずれか一項に記載のシステム。